【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
Ｘ線発生手段から発生したＸ線を受けたＸ線撮影手段によって撮影画像データを取得する可搬型の撮影装置であって、
前記撮影画像データと、該撮影画像データに対応する前記Ｘ線発生手段の撮影条件とを含む情報を無線で送信する通信手段を備えることを特徴とする撮影装置。
【請求項２】
前記通信手段が、撮影情報を無線で取得することを特徴とする請求項１に記載の撮影装置。
【請求項３】
前記撮影情報は、患者情報を含むことを特徴とする請求項２に記載の撮影装置。
【請求項４】
前記通信手段により取得した撮影情報に基づいて前記撮影画像データを取得することを特徴とする請求項２または３に記載の撮影装置。
【請求項５】
前記撮影情報は、前記Ｘ線発生手段の撮影条件を含み、
前記通信手段は、Ｘ線撮影時の撮影条件が該通信手段により取得した撮影条件に対して変更されている場合には、変更後の撮影条件を無線で送信することを特徴とする請求項２乃至４のいずれか１項に記載の撮影装置。
【請求項６】
前記通信手段は、Ｘ線撮影が終了すると、前記変更後の撮影条件と、該変更後の撮影条件に基づいてＸ線撮影した撮影画像データとを含む情報を無線で送信することを特徴とする請求項５に記載の撮影装置。
【請求項７】
前記通信手段により取得した撮影情報を表示画面に表示させ、該表示された撮影情報を変更するための操作手段を備え、
前記通信手段は、前記操作手段により変更された撮影情報を無線で送信することを特徴とする請求項１乃至６のいずれか１項に記載の撮影装置。
【請求項８】
Ｘ線撮影が終了するとＸ線検出手段に蓄積された電荷を読み出し、該読み出された蓄積データに所定の処理を施す処理手段を有し、
前記通信手段が、前記所定の処理を施して得た撮影画像データを無線で送信することを特徴とする請求項１乃至７のいずれか１項に記載の撮影装置。
【請求項９】
Ｘ線撮影する患者が複数いる場合には、該患者に関する選択情報を撮影リストとして表示画面に表示させ、選択された選択情報に対応する撮影情報を表示画面に表示する表示装置を備えることを特徴とする請求項１乃至８のいずれか１項に記載の撮影装置。
【請求項１０】
前記通信手段は、Ｘ線撮影が終了すると、該Ｘ線撮影が終了したことを所定の情報管理装置に無線で送信することを特徴とする請求項１乃至９のいずれか１項に記載の撮影装置。
【請求項１１】
撮影情報を無線で送信する第１の通信手段を有する情報管理装置と、
Ｘ線発生手段から発生したＸ線を受けたＸ線撮影手段によって撮影画像データを取得する可搬型の撮影装置と、を備える撮影システムであって、
前記可搬型の撮影装置は、前記第１の通信手段からの撮影情報を無線で取得する第２の通信手段を有し、
前記第２の通信手段は、前記撮影画像データと、該撮影画像データに対応する前記Ｘ線発生手段の撮影条件とを含む情報を無線で送信することを特徴とする撮影システム。
【請求項１２】
前記撮影情報は、患者情報を含むことを特徴とする請求項１１に記載の撮影システム。
【請求項１３】
前記可搬型の撮影装置は、前記通信手段により取得した撮影情報に基づいて前記撮影画像データを取得することを特徴とする請求項１１または１２に記載の撮影システム。
【請求項１４】
前記撮影情報は、前記Ｘ線発生手段の撮影条件を含み、
前記第２の通信手段は、Ｘ線撮影時の前記Ｘ線発生手段の撮影条件が前記第１の通信手段からの撮影条件に対して変更されている場合には、変更後の撮影条件を前記撮影画像データに対応する前記Ｘ線発生手段の撮影条件として無線で送信することを特徴とする請求項１１乃至１３のいずれか１項に記載の撮影システム。
【請求項１５】
前記第２の通信手段は、Ｘ線撮影が終了すると、Ｘ線撮影時の前記Ｘ線発生手段の撮影条件と該撮影条件に基づいてＸ線撮影した撮影画像データとを含む情報を無線で送信することを特徴とする請求項１４に記載の撮影システム。
【請求項１６】
前記撮影情報は、前記Ｘ線発生手段の撮影条件を含み、
前記可搬型の撮影装置は、Ｘ線撮影時の前記Ｘ線発生手段の撮影条件が前記第１の通信手段からの撮影条件に対して変更されている場合には、変更後の撮影条件に基づいてＸ線を発生させるように前記Ｘ線発生手段を制御するＸ線制御手段を有することを特徴とする請求項１１乃至１３のいずれか１項に記載の撮影システム。
【請求項１７】
前記第２の通信手段により取得した撮影情報を表示画面に表示させ、該表示された撮影情報を変更するための操作装置を備え、
前記第２の通信手段は、前記操作装置により変更された撮影情報を無線で送信することを特徴とする請求項１１乃至１６のいずれか１項に記載の撮影システム。
【請求項１８】
患者情報を含む撮影情報を無線で送信する第１の通信手段を有する情報管理装置と、
Ｘ線を発生させるＸ線発生手段と、前記第１の通信手段からの撮影情報を無線で取得する第２の通信手段とを有する可搬型の撮影装置と、
前記第２の通信手段により取得した患者情報に対応する前記Ｘ線発生手段の撮影条件を表示させ、該表示された撮影条件を変更するための操作装置と、
を備えることを特徴とする撮影システム。
【請求項１９】
前記操作装置が、Ｘ線撮影する患者が複数いる場合には、該患者に関する選択情報を撮影リストとして表示画面に表示させ、選択された選択情報に対応する撮影情報を表示画面に表示させることを特徴とする請求項１７または１８に記載の撮影システム。
【請求項２０】
前記第２の通信手段は、Ｘ線撮影が終了すると、該Ｘ線撮影が終了したことを前記情報管理装置に無線で送信することを特徴とする請求項１１乃至１９のいずれか１項に記載の撮影システム。
【請求項２１】
前記情報管理装置は、放射線情報システムのサーバであり、
前記第１及び第２の通信手段はそれぞれ、無線ＬＡＮ端末を有し、
前記第１及び第２の通信手段のそれぞれの無線ＬＡＮ端末が無線で通信できることを特徴とする請求項１１乃至２０のいずれか１項に記載の撮影システム。
【請求項２２】
Ｘ線を発生させるＸ線発生装置と、
前記Ｘ線発生装置からのＸ線を検出するＸ線検出装置と、
前記Ｘ線検出装置の検出結果に基づいて取得した撮影画像データと、該撮影画像データに対応する前記Ｘ線発生装置の撮影条件とを含む情報を無線で送信する通信装置と、
を備えることを特徴とする撮影システム。
【請求項２３】
前記Ｘ線検出装置は、Ｘ線フラットセンサであることを特徴とする請求項２２に記載の撮影システム。
【請求項２４】
Ｘ線発生手段からのＸ線を検出するＸ線検出手段を有するＸ線検出装置であって、
前記Ｘ線検出手段の検出結果に基づいて取得した撮影画像データと、該撮影画像データに対応する前記Ｘ線発生手段の撮影条件とを含む情報を無線で送信する通信手段を有することを特徴とするＸ線検出装置。
【請求項２５】
前記Ｘ線検出手段が、Ｘ線フラットセンサであることを特徴とする請求項２４に記載のＸ線検出装置。
【手続補正２】
【補正対象書類名】明細書
【補正対象項目名】発明の名称
【補正方法】変更
【補正の内容】
【発明の名称】撮影装置、撮影システム及びＸ線検出装置
【手続補正３】
【補正対象書類名】明細書
【補正対象項目名】０００１
【補正方法】変更
【補正の内容】
【０００１】
本発明は、例えば、撮像手段としてＸ線フラットパネルセンサを使用した可搬型のＸ線撮影装置に用いられる、撮影装置、撮影システム及びＸ線検出装置に関するものである。
【手続補正４】
【補正対象書類名】明細書
【補正対象項目名】００１８
【補正方法】変更
【補正の内容】
【００１８】
そこで、本発明は、上記の欠点を除去するために成されたもので、撮影画像と、その撮影に関する情報（撮影情報）とを、容易に、効率的に、且つ確実に一致させることが可能な、撮影装置、撮影システム及びＸ線検出装置を提供することを目的とする。
【手続補正５】
【補正対象書類名】明細書
【補正対象項目名】００１９
【補正方法】変更
【補正の内容】
【００１９】
本発明に係る撮影装置は、Ｘ線発生手段から発生したＸ線を受けたＸ線撮影手段によって撮影画像データを取得する可搬型の撮影装置であって、前記撮影画像データと、該撮影画像データに対応する前記Ｘ線発生手段の撮影条件とを含む情報を無線で送信する通信手段を備えることを特徴とする。
【手続補正６】
【補正対象書類名】明細書
【補正対象項目名】００２０
【補正方法】変更
【補正の内容】
【００２０】
本発明に係る撮影システムは、撮影情報を無線で送信する第１の通信手段を有する情報管理装置と、Ｘ線発生手段から発生したＸ線を受けたＸ線撮影手段によって撮影画像データを取得する可搬型の撮影装置と、を備える撮影システムであって、前記可搬型の撮影装置は、前記第１の通信手段からの撮影情報を無線で取得する第２の通信手段を有し、前記第２の通信手段は、前記撮影画像データと、該撮影画像データに対応する前記Ｘ線発生手段の撮影条件とを含む情報を無線で送信することを特徴とする。
また、本発明の撮影システムの他の特徴とするところは、患者情報を含む撮影情報を無線で送信する第１の通信手段を有する情報管理装置と、Ｘ線を発生させるＸ線発生手段と、前記第１の通信手段からの撮影情報を無線で取得する第２の通信手段とを有する可搬型の撮影装置と、前記第２の通信手段により取得した患者情報に対応する前記Ｘ線発生手段の撮影条件を表示させ、該表示された撮影情報を変更するための操作装置と、を備えることである。
また、本発明の撮影システムのその他の特徴とするところは、Ｘ線を発生させるＸ線発生装置と、前記Ｘ線発生装置からのＸ線を検出するＸ線検出装置と、前記Ｘ線検出装置の検出結果に基づいて取得した撮影画像データと、該撮影画像データに対応する前記Ｘ線発生装置の撮影条件とを含む情報を無線で送信する通信装置と、を備えることである。
本発明のＸ線検出装置は、Ｘ線発生手段からのＸ線を検出するＸ線検出手段を有するＸ線検出装置であって、前記Ｘ線検出手段の検出結果に基づいて取得した撮影画像データと、該撮影画像データに対応する前記Ｘ線発生手段の撮影条件とを含む情報を無線で送信する通信手段を有することを特徴とする。